(57)【要約】      （修正有）【課題】農作業時等、ひざまずいて作業を行うときに好適なひざ当て具を提供する。【解決手段】扁平化し得る布製の筒状体１の一面部１ａにクッション材を縫い付けるとともに、このクッション材に隣接して他のクッション材を挿入し得る袋部６を形成する。他のクッション材は使用者、作業現場等の状況により適宜の材料を選択する。【選択図】図１
0003109462.tif 000002
【実用新案登録請求の範囲】
【請求項１】
扁平化し得る布製の筒状体の一面部に袋部を設け、上記袋部の中にクッション材を挿入してなるひざ当て具。
【請求項２】
扁平化し得る布製の筒状体の一面部にクッション材を縫い付けるとともに、上記クッション材に隣接して他のクッション材を挿入し得る袋部を形成してなるひざ当て具。
【請求項３】
上記筒状体の開口端部を伸縮可とするゴム輪等の伸縮自在なリング体を、上記開口端部に装着した請求項１又は２に記載のひざ当て具。
【請求項４】
上記筒状体の一面部を布地片で構成し、他面部をレース片で構成した請求項１、２又は３に記載のひざ当て具。
【考案の詳細な説明】
【技術分野】
【０００１】
本考案は、梅の収穫などの農作業時等、特にひざまずいて作業を行うときに好適なひざ当て具に関する。
【背景技術】
【０００２】
ひざ当て具については、種々の発明、考案が提案されている。例えば、ひざまずいた状態でもひざに苦痛を感じることはなく長時間ひざまずいた状態を維持することができ、ひざをついての作業を楽な姿勢でできるようにし、それによって足腰の強化鍛錬を図ることを目的として、大腿下部から足首に至る脚前部を被覆する可撓性シートの前面に滑り止めパッドを貼り付け、裏面にはひざが当接する部分に緩衝部材を貼り付け、脚部に巻き付ける固定ベルトと腰部に係合する吊り下げベルトを備えたひざ当て具が提案されている（例えば、特許文献１参照。）。
【特許文献１】特開平１０−２０４７０８号公報。
【考案の開示】
【考案が解決しようとする課題】
【０００３】
しかしながら、上述のひざ当て具は、大腿下部から足首に至る脚前部という相当広い範囲にわたる部分を被覆する可撓性シートを要し、又そのシート前面に滑り止めパッドを貼り付けるとともに裏面にはひざが当接する部分に緩衝部材を貼り付け、更に脚部に巻き付ける固定ベルトと腰部に係合する吊り下げベルトを備えるということで、高コストで、又使い勝手がそれほど良くないものである。
【０００４】
本考案は、非常に簡便な構造にして低コスト化を図り、使い勝手も極めて良いひざ当て具を提供する。
【課題を解決するための手段】
【０００５】
本考案請求項１に記載の考案は、扁平化し得る布製の筒状体の一面部に袋部を設け、上記袋部の中にクッション材を挿入してなるひざ当て具である。
【０００６】
本考案請求項２に記載の考案は、扁平化し得る布製の筒状体の一面部にクッション材を縫い付けるとともに、上記クッション材に隣接して他のクッション材を挿入し得る袋部を形成してなるひざ当て具である。
【０００７】
本考案請求項３に記載の考案は、上記筒状体の開口端部を伸縮可とするゴム輪等の伸縮自在なリング体を、上記開口端部に装着した請求項１又は２に記載のひざ当て具である。
【０００８】
本考案請求項４に記載の考案は、上記筒状体の一面部を布地片で構成し、他面部をレース片で構成した請求項１、２又は３に記載のひざ当て具である。
【考案の効果】
【０００９】
請求項１の考案は、前述のような構成によるひざ当て具で、ひざ頭を覆う部分となる一面部に袋部が設けられ、その袋部の中にクッション材を挿入するから、このひざ当て具を使用する人のひざの状況、好み等又は作業する場所、即ち小石や砂利の多いところか、コンクリート上か又は通常の土壌とかに応じて、クッション材の材質、強度等種々の条件に適する材料を選択することが極めて簡単である。
【００１０】
請求項２の考案は、一面部にクッション材を縫い付けることにより、一般的な条件での
ひざ当て具を予め提供しておく。この事によって使用者によってその都度クッション材を挿入するという煩雑さを解消する。勿論他のクッション材を挿入し得るような袋部を形成しているので、前述のように使用者、使用場所等の条件によって他のクッションを適宜選択できる利便も有する。
【００１１】
請求項３の考案は、筒状体の開口端部にゴム輪等の伸縮自在なリング体を開口端部に装着することを特徴とするもので、脚への着脱を容易にする極めて簡便な構造である。
【００１２】
請求項４の考案は、ひざ頭を覆う部分である一面部を布地片で構成し、ひざ頭の裏を覆う部分をレース片、即ち糸を編み、組み合せ、より合せるなどして透かしを作った編地で構成することを特徴とするもので、全体を布地片で構成したものよりも脚の運動性の維持、脚むれの防止などに効果を発揮する。
【考案を実施するための最良の形態】
【００１３】
本考案の実施例につき、図面を参照しながら以下説明する。図１は、一実施例のひざ当て具の一方向から見た斜視図、図２は同上ひざ当て具の他方向から見た斜視図、図３は図１のＡ−Ａ’断面図、図４は図１のＢ−Ｂ’断面図、図５は同上ひざ当て具の使用状態を説明するための図である。
【００１４】
図１〜図５において、１は布製の筒状体で布地片１ａで構成された一面部２と主要部をレース片１ｂで構成された他面部３とよりなり、布地片１ａとレース片１ｂとは縫合されて全体として筒状体になっている。ここでレース片１ｂを採用しているのは本ひざ当て具を脚に装着したときの作業性の低下防止、脚むれ防止などに効果があるが、筒状体全体を一様の布製にしても良いことはいうまでもない。
【００１５】
筒状体１の両開口端部にはゴム輪等の伸縮自在なリング体４が装着されている。場合により開口端部の片方のみにリング体が装着されていてもよい。又、筒状体１の一面部２に縫い付けられた袋状部にクッション材５を固定的に収納するとともに、このクッション材５に隣接した形でクッション材を挿入しうる袋部６を形成している。この袋部６には必ずしも他のクッション材を収納することを必要としないが、ひざ当て具を使用する人のひざの状況、好み等により、又作業する場所、つまり小石や砂利の多いところか、コンクリート上か通常の土壌とかによって適切な特質をもつ他のクッション材を挿入することを意図している。上述の実施例において、クッション材の大きさ、形状等は適宜選択すればよい。
【００１６】
図５は、本ひざ当て具の使用状態の一例であるが、本考案のひざ当て具は上述のような構成になっているので、その着脱は極めて簡単、かつ必要な部分のみにひざ当て具を使用するので、作業性も良い。
【図面の簡単な説明】
【００１７】
【図１】本考案の一実施例におけるひざ当て具の一方向から見た斜視図である。
【図２】本考案の一実施例におけるひざ当て具の他方向から見た斜視図である。
【図３】図１のＡ−Ａ’断面図である。
【図４】図１のＢ−Ｂ’断面図である。
【図５】本考案の一実施例におけるひざ当て具の使用状態を説明するための図である。
【符号の説明】
【００１８】
１    筒状体
１ａ  布地片
１ｂ  レース片
２    筒状体の一面部
３    筒状体の他面部
４    リング体
５    クッション材
６    袋部
【図１】
0003109462.tif 000003
【図２】
0003109462.tif 000004
【図３】
0003109462.tif 000005
【図４】
0003109462.tif 000006
【図５】
0003109462.tif 000007